【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
フェーズドアレイシステムであって、
第１のアンテナ要素および第２のアンテナ要素と、
第１の電力増幅器および第１の低雑音増幅器を有する第１のトランシーバと、前記第１のトランシーバが前記第１のアンテナ要素に動作可能に結合される、
第２の電力増幅器および第２の低雑音増幅器を有する第２のトランシーバと、前記第２のトランシーバが前記第２のアンテナ要素に動作可能に結合される、
前記第１のアンテナ要素に結合され、第１の検出器出力を与えるように構成された第１の電力検出器と、
前記第２のアンテナ要素に結合され、第２の検出器出力を与えるように構成された第２の電力検出器と、
前記第１のトランシーバと、前記第１の電力検出器と、前記第２のトランシーバと、前記第２の電力検出器とに動作可能に結合された利得コントローラと、前記利得コントローラが、前記第１の検出器出力と前記第２の検出器出力とに基づいて、前記第１のトランシーバおよび前記第２のトランシーバのうちの１つまたは複数を無効にするように構成される、を備える、フェーズドアレイシステム。
【請求項２】
前記利得コントローラは、前記第１の検出器出力および前記第２の検出器出力のうちの１つが、前記フェーズドアレイシステムが最大線形実効等方放射電力（ＥＩＲＰ）の所定の範囲内の状態で動作していることを示すとき、前記第１のトランシーバおよび前記第２のトランシーバのうちの１つまたは複数を有効または無効にするようにさらに構成された、請求項１に記載のフェーズドアレイシステム。
【請求項３】
前記利得コントローラは、それぞれの前記第１のトランシーバおよび前記第２のトランシーバのうちの１つまたは複数が無効にされたとき、前記第１の電力増幅器および前記第２の電力増幅器の最大効率と最大利得とを維持するために、前記第１の電力増幅器および前記第２の電力増幅器にコマンドを送信するように構成された、請求項１に記載のフェーズドアレイシステム。
【請求項４】
前記利得コントローラが、前記第１の検出器出力および前記第２の検出器出力のそれぞれに応答して、前記第１の電力増幅器および前記第２の電力増幅器のうちの１つまたは複数の利得を調整するようにさらに構成され、
ここにおいて、前記利得が、前記第１のトランシーバおよび前記第２のトランシーバの出力電力レベルを決定するように構成された、請求項１に記載のフェーズドアレイシステム。
【請求項５】
３つ以上のアンテナ要素と３つ以上のトランシーバとをさらに備え、前記利得コントローラがさらに、前記３つ以上のトランシーバに動作可能に結合された、請求項１に記載のフェーズドアレイシステム。
【請求項６】
前記第１の検出器出力が、反射電力の測定値に基づいて、前記第１のアンテナ要素がいつ妨害されるかを示すように構成された、請求項１に記載のフェーズドアレイシステム。
【請求項７】
前記利得コントローラは、前記第１の検出器出力が、前記第１のアンテナ要素がもはや妨害されていないことを示すとき、前に無効にされた前記第１のトランシーバを有効にするようにさらに構成された、請求項６に記載のフェーズドアレイシステム。
【請求項８】
前記第１の検出器出力および前記第２の検出器出力が、少なくとも出力電力測定値と受信信号強度とを示すように構成された、請求項１に記載のフェーズドアレイシステム。
【請求項９】
フェーズドアレイシステムにおけるワイヤレス通信のための方法であって、前記フェーズドアレイシステムが、少なくとも、第１の電力増幅器および第１の低雑音増幅器を有する第１のトランシーバに動作可能に結合された第１のアンテナ要素、前記第１のアンテナ要素は、第１の電力検出器に動作可能に結合される、と、第２の電力増幅器および第２の低雑音増幅器を有する第２のトランシーバに動作可能に結合された第２のアンテナ要素、前記第２のアンテナ要素は、第２の電力検出器に動作可能に結合される、とを有し、前記方法が、
前記第１のトランシーバと前記第２のトランシーバとを有効にすることと、
前記第１の電力検出器および前記第２の電力検出器のうちの少なくとも１つからの検出器出力を検出することと、
最大効率の所定の範囲において前記フェーズドアレイシステムの動作を維持しながら、前記検出器出力に基づいて、前記第１のトランシーバおよび前記第２のトランシーバのうちの１つまたは複数を無効にすることとを備える、方法。
【請求項１０】
前記検出器出力が、前記フェーズドアレイシステムが最大線形実効等方放射電力（ＥＩＲＰ）の所定の範囲内の状態で動作していることを示すとき、前記第１のトランシーバおよび前記第２のトランシーバのうちの１つまたは複数を有効または無効にすることをさらに備える、請求項９に記載の方法。
【請求項１１】
前記検出器出力に応答して、前記第１の電力増幅器および前記第２の電力増幅器のうちの１つまたは複数の利得を調整することをさらに備え、前記利得が、それぞれの前記第１のトランシーバまたは前記第２のトランシーバの出力電力レベルを決定する、請求項９に記載の方法。
【請求項１２】
前記無効にすることは、アンテナ要素妨害を示す前記第１のアンテナ要素および前記第２のアンテナ要素のうちの１つまたは複数における反射電力の測定値を示す前記検出器出力にさらに基づき、
前記方法は、第１の検出器出力または第２の検出器出力のそれぞれが、無効にされた第１のトランシーバまたは第２のトランシーバに関連付けられた前記第１のアンテナ要素または前記第２のアンテナ要素がもはや妨害されていないことを示すとき、前に無効にされた前記第１のトランシーバおよび前記第２のトランシーバのうちの１つまたは複数を有効にすることをさらに備える、請求項９に記載の方法。
【請求項１３】
前記第１の電力検出器および前記第２の電力検出器のうちの１つまたは複数から、出力電力測定値と受信信号強度とを受信することをさらに備える、請求項９に記載の方法。
【手続補正２】
【補正対象書類名】明細書
【補正対象項目名】００５８
【補正方法】変更
【補正の内容】
【００５８】
[0062]開示された実施形態の上記の説明は、当業者が本開示を製作または使用できるように与えられた。これらの実施形態への様々な修正は当業者には容易に明らかであり、本明細書で説明された一般原理は、本開示の趣旨または範囲から逸脱することなく他の実施形態に適用され得る。したがって、本明細書で提示された説明および図面は、本開示の現在好ましい実施形態を表し、したがって、本開示によって広く企図される主題を表すことを理解されたい。本開示の範囲は、当業者に明らかになり得る他の実施形態を完全に包含することと、したがって、本開示の範囲は、添付の特許請求の範囲以外のものによって限定されないこととをさらに理解されたい。
以下に本願の出願当初の特許請求の範囲に記載された発明を付記する。
［Ｃ１］
フェーズドアレイシステムであって、
第１のアンテナ要素および第２のアンテナ要素と、
第１の電力増幅器を有する第１のトランシーバと、前記第１のトランシーバが前記第１のアンテナ要素に動作可能に結合される、
第２の電力増幅器を有する第２のトランシーバと、前記第２のトランシーバが前記第２のアンテナ要素に動作可能に結合される、
前記第１のアンテナ要素に結合され、第１の検出器出力を与えるように構成された第１の電力検出器と、
前記第２のアンテナ要素に結合され、第２の検出器出力を与えるように構成された第２の電力検出器と、
前記第１のトランシーバと、前記第１の電力検出器と、前記第２のトランシーバと、前記第２の電力検出器とに動作可能に結合された利得コントローラと、前記利得コントローラが、前記第１の検出器出力と前記第２の検出器出力とに基づいて、前記第１のトランシーバおよび前記第２のトランシーバのうちの１つまたは複数を無効にするように構成される、を備える、フェーズドアレイシステム。
［Ｃ２］
前記利得コントローラは、前記第１の検出器出力および前記第２の検出器出力のうちの１つが、前記フェーズドアレイシステムが最大線形実効等方放射電力（ＥＩＲＰ）の所定の範囲内の状態で動作していることを示すとき、前記第１のトランシーバおよび前記第２のトランシーバのうちの１つまたは複数を有効または無効にするようにさらに構成された、Ｃ１に記載のフェーズドアレイシステム。
［Ｃ３］
前記利得コントローラは、それぞれの前記第１のトランシーバおよび前記第２のトランシーバのうちの１つまたは複数が無効にされたとき、前記第１の電力増幅器および前記第２の電力増幅器の最大効率と最大利得とを維持するために、前記第１の電力増幅器および前記第２の電力増幅器にコマンドを送信するように構成された、Ｃ１に記載のフェーズドアレイシステム。
［Ｃ４］
前記利得コントローラが、前記第１の検出器出力および前記第２の検出器出力のそれぞれに応答して、前記第１の電力増幅器および前記第２の電力増幅器のうちの１つまたは複数の利得を調整するようにさらに構成され、
ここにおいて、前記利得が、前記第１のトランシーバおよび前記第２のトランシーバの出力電力レベルを決定するように構成された、Ｃ１に記載のフェーズドアレイシステム。
［Ｃ５］
３つ以上のアンテナ要素と３つ以上のトランシーバとをさらに備え、前記利得コントローラがさらに、前記３つ以上のトランシーバに動作可能に結合された、Ｃ１に記載のフェーズドアレイシステム。
［Ｃ６］
前記第１の検出器出力が、反射電力の測定値に基づいて、前記第１のアンテナ要素がいつ妨害されるかを示すように構成された、Ｃ１に記載のフェーズドアレイシステム。
［Ｃ７］
前記利得コントローラは、前記第１の検出器出力が、前記第１のアンテナ要素がもはや妨害されていないことを示すとき、前に無効にされた前記第１のトランシーバを有効にするようにさらに構成された、Ｃ６に記載のフェーズドアレイシステム。
［Ｃ８］
前記第１の検出器出力および前記第２の検出器出力が、少なくとも出力電力測定値と受信信号強度とを示すように構成された、Ｃ１に記載のフェーズドアレイシステム。
［Ｃ９］
前記第１のトランシーバおよび前記第２のトランシーバが、それぞれ、送信機と、受信機と、低雑音増幅器とをさらに備える、Ｃ１に記載のフェーズドアレイシステム。
［Ｃ１０］
フェーズドアレイシステムにおけるワイヤレス通信のための方法であって、前記フェーズドアレイシステムが、少なくとも、第１の電力増幅器を有する第１のトランシーバに動作可能に結合された第１のアンテナ要素と、第２の電力増幅器を有する第２のトランシーバに動作可能に結合された第２のアンテナ要素とを有し、前記方法が、
前記第１のトランシーバと前記第２のトランシーバとを有効にすることと、
第１の電力検出器および第２の電力検出器のうちの少なくとも１つからの検出器出力を検出することと、
最大効率の所定の範囲において前記フェーズドアレイシステムの動作を維持しながら、前記検出器出力に基づいて、前記第１のトランシーバおよび前記第２のトランシーバのうちの１つまたは複数を無効にすることとを備える、方法。
［Ｃ１１］
前記検出器出力が、前記フェーズドアレイシステムが最大線形実効等方放射電力（ＥＩＲＰ）の所定の範囲内の状態で動作していることを示すとき、前記第１のトランシーバおよび前記第２のトランシーバのうちの１つまたは複数を有効または無効にすることをさらに備える、Ｃ１０に記載の方法。
［Ｃ１２］
前記検出器出力に応答して、前記第１の電力増幅器および前記第２の電力増幅器のうちの１つまたは複数の利得を調整することをさらに備え、前記利得が、それぞれの前記第１のトランシーバまたは前記第２のトランシーバの出力電力レベルを決定する、Ｃ１０に記載の方法。
［Ｃ１３］
前記無効にすることは、アンテナ要素妨害を示す前記第１のアンテナ要素および前記第２のアンテナ要素のうちの１つまたは複数における反射電力の測定値を示す前記検出器出力にさらに基づく、Ｃ１０に記載の方法。
［Ｃ１４］
第１の検出器出力または第２の検出器出力のそれぞれが、無効にされた第１のトランシーバまたは第２のトランシーバに関連付けられた前記第１のアンテナ要素または前記第２のアンテナ要素がもはや妨害されていないことを示すとき、前に無効にされた前記第１のトランシーバおよび前記第２のトランシーバのうちの１つまたは複数を有効にすることをさらに備える、Ｃ１３に記載の方法。
［Ｃ１５］
前記第１の電力検出器および前記第２の電力検出器のうちの１つまたは複数から、出力電力測定値と受信信号強度とを受信することをさらに備える、Ｃ１０に記載の方法。
［Ｃ１６］
前記第１のトランシーバおよび前記第２のトランシーバの各々が、送信機と、受信機と、低雑音増幅器とをさらに備える、Ｃ１０に記載の方法。
［Ｃ１７］
フェーズドアレイシステムにおけるワイヤレス通信のための装置であって、前記フェーズドアレイシステムが、複数のトランシーバのうちのそれぞれの第１のトランシーバおよび第２のトランシーバに動作可能に結合された第１のアンテナ要素および第２のアンテナ要素を有し、前記装置は、
前記第１のトランシーバおよび前記第２のトランシーバの各々を有効にすることと、
前記複数のトランシーバのうちの残りの有効にされたトランシーバの最大効率を維持しながら、検出器出力に基づいて、前記第１のトランシーバおよび前記第２のトランシーバのうちの１つまたは複数を無効にすることと
を行うための利得制御手段と、
前記利得制御手段に第１の検出器出力を与えるための第１の検出手段と、前記第１の検出手段が前記第１のアンテナに動作可能に結合される、
前記利得制御手段に第２の検出器出力を与えるための第２の検出手段と、前記第２の検出手段が前記第２のアンテナに動作可能に結合される、を備える、装置。
［Ｃ１８］
前記第１の検出手段が第１の電力検出器を備え、前記第２の検出手段が第２の電力検出器を備える、Ｃ１７に記載の装置。
［Ｃ１９］
前記利得制御手段は、前記第１の検出手段または前記第２の検出手段が、前記フェーズドアレイシステムが最大線形実効等方放射電力（ＥＩＲＰ）に近づく状態で動作していることを示すとき、前記第１のトランシーバおよび前記第２のトランシーバのうちの１つまたは複数を有効または無効にするようにさらに構成された、Ｃ１７に記載の装置。
［Ｃ２０］
前記利得制御手段が、前記第１の検出器出力または前記第２の検出器出力に応答して、前記第１の電力増幅器および前記第２の電力増幅器のうちの１つまたは複数の利得を調整するための手段をさらに備え、前記利得が、それぞれの前記第１のトランシーバまたは前記第２のトランシーバの出力電力レベルを決定する、Ｃ１７に記載の装置。
［Ｃ２１］
前記利得制御手段は、前記第１のアンテナ要素および前記第２のアンテナ要素のうちの１つまたは複数におけるアンテナ要素妨害を示す前記第１の検出手段または前記第２の検出手段に基づいて、前記第１のトランシーバおよび前記第２のトランシーバのうちの１つまたは複数を無効にするようにさらに構成された、Ｃ１７に記載の装置。
［Ｃ２２］
前記利得制御手段は、前記第１の検出手段の出力および前記第２の検出手段のうちのそれぞれの１つが、無効にされた第１のトランシーバまたは第２のトランシーバに関連付けられた前記第１のアンテナ要素または前記第２のアンテナ要素がもはや妨害されていないことを示すとき、前に無効にされた前記第１のトランシーバおよび前記第２のトランシーバのうちの１つまたは複数を有効にするようにさらに構成された、Ｃ２１に記載の装置。
［Ｃ２３］
前記利得制御手段が、前記第１の検出手段および前記第２の検出手段のうちの１つまたは複数から、前記第１のアンテナおよび前記第２のアンテナの受信信号強度指示と出力電力レベルとを受信するための手段をさらに備える、Ｃ１７に記載の装置。
［Ｃ２４］
前記フェーズドアレイシステムが３つ以上のアンテナと３つ以上のトランシーバとを備える、Ｃ１７に記載の装置。
［Ｃ２５］
フェーズドアレイシステムであって、
複数のアンテナ要素と、前記複数のアンテナ要素の各アンテナ要素が複数のトランシーバのうちのそれぞれのトランシーバに結合され、各トランシーバが、調整可能利得をもつ少なくとも１つの電力増幅器を有する、
前記複数のアンテナ要素の各アンテナ要素に結合され、検出器出力を与えるように構成された電力検出器と、前記検出器出力が、前記複数のアンテナ要素のうちのそれぞれのアンテナ要素における少なくとも出力電力レベルと反射エネルギーレベルとを示すように構成されている、
前記複数のトランシーバのうちのトランシーバの各々に、および各電力検出器に動作可能に結合された利得コントローラとを備え、前記利得コントローラが、
前記検出器出力を受信することと、前記検出器出力に基づいて、
前記フェーズドアレイシステムのための選択された送信電力レベルを達成するように１つまたは複数の選択された電力増幅器の前記調整可能利得を調整することと、
前記複数のトランシーバのうちの前記トランシーバのうちの１つまたは複数を有効または無効にすることとを行うように構成された、フェーズドアレイシステム。
［Ｃ２６］
前記利得コントローラは、前記検出器出力が、前記フェーズドアレイシステムが最大線形実効等方放射電力（ＥＩＲＰ）に近づく状態で動作していることを示すとき、前記複数のトランシーバのうちの前記トランシーバのうちの１つまたは複数を有効または無効にするようにさらに構成された、Ｃ２５に記載のフェーズドアレイシステム。
［Ｃ２７］
複数の有効にされた電力増幅器は、前記複数のトランシーバのうちの他のトランシーバのうちの１つまたは複数が無効にされるとき、最大効率および最大利得において連続的に動作する、Ｃ２５に記載のフェーズドアレイシステム。
［Ｃ２８］
前記利得コントローラは、前記検出器出力が、前記複数のアンテナ要素のうちの少なくとも１つのアンテナ要素の妨害を示す前記複数のアンテナ要素のうちの１つまたは複数における反射電力の測定値、を示すとき、前記複数のトランシーバのうちの１つまたは複数のトランシーバを無効にするように構成された、Ｃ２５に記載のフェーズドアレイシステム。